(57)【要約】【課題】  内壁の入隅に木材の乾燥により形成される隙間を可及的に小さくして、壁紙に亀裂が入ったり、隙間風が吹き込む事態を解決し、また、建築資材とリフォームのための内装費を節減する。  【解決手段】  一側内貼りボード２は建屋の角柱５１に外面２Ａの長手方向一端側を当接し、内面２Ｂに一側付け材３を当接して木ねじ４で角柱５１に固定する。他側内貼りボード７は、外面７Ａの長手方向一端側を一側付け材３に当接して木ねじ８により固定する。他側の角柱５６に他側内貼りボード１２の外面１２Ａの長手方向一端側を当接し、内面１２Ｂに他側付け材１３を当接して木ねじ４で固定し、一側内貼りボード２の外面の長手方向他端側を他側付け材１３に当接し、先端面２Ｃを他側内貼りボード１２に当接して木ねじ８で固定する。【選択図】  図２
0003108691.tif 000002
【実用新案登録請求の範囲】
【請求項１】
一側内貼りボードは、外面の長手方向一端側を建屋を構成する一側角柱の一面に当接し、内面に一側付け材を当接してねじ又は釘により該一側付け材及び一側内貼りボードを前記角柱に一体に固定し、他側内貼りボードの外面の長手方向一端側を該一側付け材に当接し、先端面を前記一側内貼りボードの内面に当接してねじ又は釘により該一側付け材に固定し、前記他側内貼りボードに対向する他の他側内貼りボードの外面の長手方向一端側を他側角柱の一面に当接し、内面に他側付け材を当接してねじ又は釘により該他側角柱に一体に固定し、前記一側内貼りボードの外面の長手方向他端側を前記他側付け材に当接すると共に、先端面を該他側内貼りボードの内面に当接し、ねじ又は釘により該一側内貼りボードを該他側付け材に固定するようにした建屋の内壁構造。
【請求項２】
一側内貼りボードは、外面の長手方向両端側を建屋を構成する一対の角柱の一面に当接し、内面の長手方向両端側に付け材を当接してねじ又は釘により該付け材及び一側内貼りボードを前記各角柱に固定し、他側内貼りボードの先端面を当接して内面を前記付け材に当接し、ねじ又は釘により該他側内貼りボードを付け材に固定するようにした建屋の内壁構造。
【請求項３】
前記付け材は、乾燥度の高い集成材又は合成樹脂材であることを特徴とする請求項１又は２記載の建屋の内壁構造。
【考案の詳細な説明】
【技術分野】
【０００１】
本考案は、建屋の内壁構造に関し、特に木材の乾燥により壁の接合部位である入隅に形成される隙間の幅を可及的に小さくなるようにした建屋の内壁構造に関する。
【背景技術】
【０００２】
図４及び図５に従来技術に係る木造軸組工法による建屋の内壁構造を示す。図において、５１、５１は建屋の躯体を構成し、離間して立設した一対の角柱、５２、５２、・・・は長方形の平板からなる複数数の一側下地板で、該各一側下地板５２は高さ方向に約３００ｍｍ離間した状態で先端側５２Ａを角柱５１の一側面５１Ａに釘止めすることにより固着してある。５３、５３、・・・は前記一側下地板５２に対して直角方向に配設した複数枚の他側下地板で、該各他側下地板５３は一側下地板５２、５２の間隙に嵌入した状態で先端側５３Ａを角柱５１の直角方向の他側面５１Ｂに釘止めにより固着してある。５４は一側下地板５２に固定した一側壁板、５５は該一側壁板５４に先端を当接した状態で他側下地板５３に固定した他側壁板である。また、入隅役物６に嵌合溝を形成し、該溝に下地材を嵌入する技術が開示されている（特許文献１）。
【特許文献１】特開２００３−６４８４４号公報
【考案の開示】
【考案が解決しようとする課題】
【０００３】
上述した従来の木造軸組工法において、角柱５１、下地板５２、５３には天然材を使用するが、木材毎に組織密度、堅さ、木目方向等の材質が異なることから、入隅での不揃い、隙間の形成、撓みの原因になっている。この問題は合成材を使用することによりある程度は解決可能であるが、合成材は高価なことからあまり使用されていないのが現状である。また、木造軸組工法における入隅は略直角方向の２方向からの出会い部であり、角柱５１の２面５１Ａ、５１Ｂと下地材５２の痩せる方向が逆向きで壁板が双方向に引かれるため、入隅では２倍の幅の隙間が形成されるという問題がある。
また、特許文献１の技術は、建材の加工費用が嵩む、乾燥による建材の痩せについて十分に配慮していないという欠点がある。
【０００４】
更に、木造家屋においては構造材の乾燥の問題がある。従来は木材の乾燥、即ち含水率に関心が薄く、家屋の入隅に木材の乾燥による痩せや捩れによって隙間が生じても天然材なので当然起こり得る現象として受け入れて来た。しかし、近年、使用木材に含水率２０％程度のものを用いるようになり、含水率を考慮した乾燥木材を使用するようになってきたが、入居に伴って２〜５％の乾燥が進むことから木材が痩せる現象は避けられない。更に、価格の面から下地材に乾燥材を用いるまでには至っていないため、入隅に隙間が形成されて壁紙に亀裂が入ったり、隙間風が吹き込むといった問題は解決されていない。しかも、入隅の隙間の形成が内装業者の施工不良として扱われるといった問題にもなっている。
【０００５】
本考案は上述した従来技術の諸欠点に鑑みなされたもので、内壁の入隅に木材の乾燥により形成される隙間を可及的に小さくすることにより、壁紙に亀裂が入ったり、隙間風が吹き込む事態を解決し、また、建築資材とリフォームのための内装費を節減することのできる建屋の内壁構造を提供することを目的とする。
【課題を解決するための手段】
【０００６】
上述した課題を解決するために構成された請求項１に係る本考案の手段は、一側内貼りボードは、外面の長手方向一端側を建屋を構成する一側角柱の一面に当接し、内面に一側付け材を当接してねじ又は釘により該一側付け材及び一側内貼りボードを前記角柱に一体に固定し、他側内貼りボードの外面の長手方向一端側を該一側付け材に当接し、先端面を前記一側内貼りボードの内面に当接してねじ又は釘により該一側付け材に固定し、前記他側内貼りボードに対向する他の他側内貼りボードの外面の長手方向一端側を他側角柱の一面に当接し、内面に他側付け材を当接してねじ又は釘により該他側角柱に一体に固定し、前記一側内貼りボードの外面の長手方向他端側を前記他側付け材に当接すると共に、先端面を該他側内貼りボードの内面に当接し、ねじ又は釘により該一側内貼りボードを該他側付け材に固定するようにしたものからなる。
【０００７】
また、請求項２に係る本考案を構成する手段は、一側内貼りボードの外面の長手方向両端側を建屋を構成する一対の角柱の一面に当接し、内面の長手方向両端側に付け材を当接してねじ又は釘により該付け材及び一側内貼りボードを前記各角柱に固定し、他側内貼りボードの先端面を当接して内面を前記付け材に当接し、ねじ又は釘により該他側内貼りボードを付け材に固定するようにしたものからなる。
【０００８】
そして、前記付け材には、乾燥度の高い集成材又は合成樹脂材を用いるとよい。
【考案の効果】
【０００９】
本考案は以上詳述した如く構成したから、下記の諸効果を奏する。
（１）乾燥により柱が痩せても、入隅に隙間が形成されるのを可及的に小さくすることができるから、壁紙に亀裂が入ったり、隙間風が吹き込む事態を解決することができる。
（２）従来の木造家屋で使用した下地材を不要にしたから、建築資材を節減することによる施工期間の短縮と資材費の低減を図ることができる。
（３）入隅に隙間が形成されるのを可及的に小さくしたから、リフォームのための内装費を節減することができる。
（４）付け材に乾燥度の高い集成材又は乾燥の全くない合成樹脂材を用いるから、角柱の乾燥による痩せが付け材の痩せによって増幅されることがなく、入隅に隙間が形成されるのを確実に防止できる。
【考案を実施するための最良の形態】
【００１０】
以下、本考案の実施の形態を図面に基づき詳述する。図１及び図２は第１の実施の形態を示す。図において、１は一側内壁を示し、２は該一側内壁１を構成する合板、石膏ボード等の平板からなる一側内貼りボードを示す。該一側内貼りボード２は、外面２Ａの長手方向一端側２Ａ1 を建屋を構成する一側角柱５１の一面５１Ａに当接してある。
【００１１】
３は角材からなる一側付け材で、該一側付け材３は一側面３Ａを前記一側内貼りボード２の内面２Ｂの長手方向一端側２Ｂ1 に当接してある。そして、該付け材３から一側内貼りボード２を通して角材５１に螺入する木ねじ４、４、・・・によって、一側付け材３と一側内貼りボード２を角材５１に一体に固定してある。なお、付け材３には、乾燥度の高い集成材か、収縮の全く起きない合成樹脂材を用いる。
【００１２】
６は一側内壁１に対して略直角方向に展設する他側内壁を示す。７は該他側内壁６を構成する他側内貼りボードで、他側内貼りボード７は外面７Ａの長手方向一端側７Ａ1 を一側付け材３の他側面３Ｂに当接し、先端面７Ｂを一側内張りボード２の内面２Ｂに当接した状態で、木ねじ８、８、・・・により付け材３に固定してある。このようにして、一側内貼りボード２と他側内貼りボード７により一方の入隅が構成してある。
【００１３】
次に、一側内貼りボード２の長手方向他端側を対向内壁１１と接続する構造について説明する。該対向内壁１１は前述した一側内壁１と同様に、他側内貼りボード１２の外面１２Ａの長手方向一端側１２Ａ1 を他側角柱５６の一面５６Ａに当接してある。そして、他側内貼りボード１２の内面１２Ｂの長手方向一端側１２Ｂ1 に他側付け材１３の一側面１３Ａを当接し、木ねじ４、４、・・・によって、該他側付け材１３から他側内貼りボード１２を角柱５６に締着してある。
【００１４】
そして、一側内貼りボード２は、外面２Ａの長手方向他端側２Ａ2 を他側付け材１３の他側面１３Ｂに当接し、先端面２Ｃを上述した他側内貼りボード１２の内面１２Ｂに当接して木ねじ８によって締着してある。
【００１５】
本実施の形態によれば、一側内壁１を構成する一側内貼りボード２は乾燥による収縮のない石膏ボード又は収縮の少ない合成板を用いると共に、長手方向一端側２Ａ1 を角柱５１に固定し、他端面２Ｃのみを他側内貼りボード１２に突き合わせる構成にしてある。これにより、角柱５１、５６の痩せによる収縮が入隅に与える影響は従来技術の２分の１以下にすることができ、入隅に形成される隙間を可及的に小さくすることができる。
【００１６】
また、付け材３、１３に、乾燥度の高い集成材か収縮の全く起きない合成樹脂材を用いるから、角柱５１、５６の乾燥による痩せが付け材３、１３によって増幅されて入隅の隙間が拡大する事態を解消することができる。しかも、下地材を不要にしたので、施工が容易であるし施工期間を短縮できる。
【００１７】
次に、図３に第２の実施の形態を示す。図において、２１は一側内壁を示し、２２は該一側内壁２１を構成する合板、石膏ボード等の平板からなる一側内貼りボードを示す。該一側内貼りボード２２は、外面２２Ａの長手方向一端側２２Ａ1 を一側角柱５１の一面５１Ａに当接してある。２３は角材からなる付け材で、該付け材２３は前記一側内貼りボード２２の内面２２Ｂの長手方向一端側２２Ｂ1 に一側面２３Ａを当接してある。そして、該付け材２３から一側内貼りボード２２に挿通して角材５１に木ねじ２４、２４、・・・を螺入することにより、付け材２３と一側内貼りボード２２を角材５１に一体に固着してある。
【００１８】
２５、２５は一側内壁２１に連接して対向配設した一対の他側内壁、２６は該各他側内壁２５を構成する平板からなる他側内貼りボードを示す。該他側内貼りボード２６は外面２６Ａの長手方向一端側２６Ａ1 を付け材２３の他側面２３Ｂに当接し、長手方向一側端２６Ｂを一側内貼りボード２２の内面２２Ｂに当接してある。そして、該他側内貼りボード２６は内面２６Ｃ側から螺入する木ねじ２７によって付け材２３に固定してある。
【００１９】
本実施の形態に係る建屋の内壁構造は上述の如く、一側内貼りボード２２は角柱５１、５６間に架設し、他側内貼りボード２６、２６の各々は、先端面２６Ｂのみで一側内貼りボード２２の内面２２Ｂに突き合わせ、乾燥による収縮のない付け材２３に固定した構造にしてある。従って、角柱５１、５６が乾燥により収縮した場合でも、一側内貼りボード２２は角柱５１、５６間に余裕を持って架設してあるし、他側内貼りボード２６の先端面２６Ｂのみが一側内貼りボード２２の内面２２Ｂに当接しているから、乾燥による隙間が形成されても従来技術の半分以下の間隔に納めることができる。
【図面の簡単な説明】
【００２０】
【図１】図１及び図２は本考案の第１の実施の形態に係り、図１は一側内壁と他側内壁の構成を一部を破断にして示す斜視図である。
【図２】一側内壁と他側内壁の構成を示す部分平面図である。
【図３】第２の実施の形態に係る一側内壁と他側内壁の構成を示す部分平面図である。
【図４】図４及び図５は従来技術に係り、図４は一側内壁と他側内壁の構成を一部を破断にして示す斜視図である。
【図５】一側内壁と他側内壁の構成を示す部分平面図である。
【符号の説明】
【００２１】
１、２１          一側内壁
２、２２          一側内貼りボード
２Ａ、２２Ａ      外面
２Ａ1 、２２Ａ1   一端側
２Ａ2 、２２Ａ2   他端側
２Ｂ、２２Ｂ      内面
３、１３          付け材
６、１１、２５    他側内壁
７、１２、２６    他側内貼りボード
５１、５６        角柱
【図１】
0003108691.tif 000003
【図２】
0003108691.tif 000004
【図３】
0003108691.tif 000005
【図４】
0003108691.tif 000006
【図５】
0003108691.tif 000007